(57)【要約】      （修正有）【課題】本考案は、物品の保管スペースが大きくなることを抑制しつつ、物品を容易に取り出すことが可能な箱用シートの提供を課題とする。【解決手段】箱型に組み立て可能な箱用シート１であって、上下に開口を有する四角筒状部に組み立てられ、組立状態で互いに対向する一対の長さ面パネル２ａ、２ｂ及び一対の幅面パネル３ａ、３ｂを備え、上記一対の幅面パネルの内面に、上縁の左右方向中央部と、下縁の左右方向両端部とを接続する逆Ｖ字状の溝１３が形成されている。【選択図】図１
0003224539.tif 000002
【実用新案登録請求の範囲】
【請求項１】
箱型に組み立て可能な箱用シートであって、
上下に開口を有する四角筒状部に組み立てられ、組立状態で互いに対向する一対の長さ面パネル及び一対の幅面パネルを備え、
上記一対の幅面パネルの内面に、上縁の左右方向中央部と、下縁の左右方向両端部とを接続する逆Ｖ字状の溝が形成されている箱用シート。
【請求項２】
上記一対の幅面パネルの外面が平滑面である請求項１に記載の箱用シート。
【請求項３】
上記一対の長さ面パネル及び上記一対の幅面パネルが展開状態で左右方向に交互に連接されている請求項１又は請求項２に記載の箱用シート。
【請求項４】
上記一対の長さ面パネルの上縁から延出し、上記四角筒状部の上部開口を閉塞可能な一対の蓋外フラップと、
上記一対の幅面パネルの上縁から延出し、上記一対の蓋外フラップの内側に折り込まれる一対の蓋内フラップと
をさらに備え、
上記一対の蓋内フラップに、上記溝の頂点から先端縁に亘って延びる折り曲げ容易線又は破断容易線が形成されている請求項３に記載の箱用シート。
【請求項５】
組立状態における平面視で、上記一対の蓋外フラップの先端縁と、上記折り曲げ容易線又は上記破断容易線とが一致していない請求項４に記載の箱用シート。
【考案の詳細な説明】
【技術分野】
【０００１】
本考案は、箱用シートに関する。
【背景技術】
【０００２】
物品の保管、運搬等に段ボールシート等から組み立てられる箱体が広く用いられている。この箱体には、物品を保管、運搬等した後に、この物品を容易に取り出せることが求められる。
【０００３】
このような観点から、物品の取り出し時に箱体と物品との間に腕を入れるための隙間を形成しやすいよう、箱体の側壁に折り曲げ用の補助線を設けることが提案されている（特開２０１４−９１５５８号公報参照）。
【先行技術文献】
【特許文献】
【０００４】
【特許文献１】特開２０１４−９１５５８号公報
【考案の概要】
【考案が解決しようとする課題】
【０００５】
上記公報に記載の収納箱は、対向する一対の側壁に、その上縁から下方に延びる補助線が形成されている。この収納箱は、物品と側壁との間に腕を差し込むことで、一対の側壁が上記補助線で山折りに折り曲げられる。この収納箱は、上記一対の側壁の折り曲げによって、腕を物品の底面側まで差し込むことができ、物品を把持して容易に取り出すことができるとされている。
【０００６】
しかしながら、この収納箱は、側壁と物品との間に腕を差し込みながら側壁を上記補助線で山折りに折っていくもので、予め物品と側壁の内面との間に一定程度の空間を設けておくことを要する。そのため、この収納箱は、箱の容積に対して十分に小さい物品しか収容することができず、物品の保管スペースが必要以上に大きくなりやすい。
【０００７】
本考案は、このような不都合に鑑みてなされたものであり、物品の保管スペースが大きくなることを抑制しつつ、物品を容易に取り出すことが可能な箱用シートの提供を課題とする。
【課題を解決するための手段】
【０００８】
上記課題を解決するためになされた本考案に係る箱用シートは、箱型に組み立て可能な箱用シートであって、上下に開口を有する四角筒状部に組み立てられ、組立状態で互いに対向する一対の長さ面パネル及び一対の幅面パネルを備え、上記一対の幅面パネルの内面に、上縁の左右方向中央部と、下縁の左右方向両端部とを接続する逆Ｖ字状の溝が形成されている。
【考案の効果】
【０００９】
本考案に係る箱用シートは、物品の保管スペースが大きくなることを抑制しつつ、物品を容易に取り出すことができる。
【図面の簡単な説明】
【００１０】
【図１】図１は、本考案の一実施形態に係る箱用シートを示す模式的平面図である。
【図２】図２は、図１の箱用シートを組み立ててなる箱体の模式的斜視図である。
【図３】図３は、図２の箱体のＩＩＩ−ＩＩＩ線部分端面図である。
【図４】図４は、図２の箱体の天壁に封函テープを貼り付けていない状態を示す模式的平面図である。
【図５】図５は、物品が収容された図２の箱体の一対の幅面パネルを溝で折り曲げた状態を示す模式的斜視図である。
【図６】図６は、図５の箱体の模式的平面図である。
【図７】図７は、図５の箱体から物品を取り出す際の状態を示す模式的平面図である。
【考案を実施するための形態】
【００１１】
［本考案の実施形態の説明］
最初に本考案の実施態様を列記して説明する。
【００１２】
本考案の一態様に係る箱用シートは、箱型に組み立て可能な箱用シートであって、上下に開口を有する四角筒状部に組み立てられ、組立状態で互いに対向する一対の長さ面パネル及び一対の幅面パネルを備え、上記一対の幅面パネルの内面に、上縁の左右方向中央部と、下縁の左右方向両端部とを接続する逆Ｖ字状の溝が形成されている。
【００１３】
当該箱用シートは、箱体に組み立てられた状態で対向する一対の幅面パネルの内面に、上縁の左右方向中央部と、下縁の左右方向両端部とを接続する逆Ｖ字状の溝が形成されているので、箱体内に収容される物品と上記一対の幅面パネルの内面との間に物品把持用空間を容易に形成することができる。具体的には、当該箱用シートを組み立ててなる箱体は、上記幅面パネルの内面に沿うように手指を差し込んでいくと、上記幅面パネルが、上記溝で折り曲げられて、上縁の中央部を外側に突出するように全体としてくちばし状に変形する。これにより、この箱体は、上記幅面パネルの上部中央部の内面側に物品を側方から把持するための物品把持用空間を形成することができる。従って、当該箱用シートによると、上記物品把持用空間を利用して上記物品を把持することで、この物品を上記箱体から容易に取り出すことができる。当該箱用シートは、上記物品の保管状態で上記幅面パネルの内面と上記物品との間に空間が存在しない場合でも、上記幅面パネルの変形によって上記物品把持用空間を形成することができる。従って、当該箱用シートは、上記物品の保管スペースが大きくなることを抑制することができる。
【００１４】
上記一対の幅面パネルの外面が平滑面であるとよい。このように、上記一対の幅面パネルの外面が平滑面であることで、例えば当該箱用シートを組み立ててなる箱体の上に他の箱体等を積み上げた際に、この箱体に加えられる荷重によって上記幅面パネルが意図せず折れ曲がることを抑制することができる。これにより、上記箱体の座屈強度の低下を抑制することができる。
【００１５】
上記一対の長さ面パネル及び上記一対の幅面パネルが展開状態で左右方向に交互に連接されているとよい。このように、上記一対の長さ面パネル及び上記一対の幅面パネルが展開状態で左右方向に交互に連接されていることによって、当該箱用シートをＡ式の箱体に組み立て可能な構成とすることができ、当該箱用シートの製造コストを抑えることができる。
【００１６】
当該箱用シートは、上記一対の長さ面パネルの上縁から延出し、上記四角筒状部の上部開口を閉塞可能な一対の蓋外フラップと、上記一対の幅面パネルの上縁から延出し、上記一対の蓋外フラップの内側に折り込まれる一対の蓋内フラップとをさらに備え、上記一対の蓋内フラップに、上記溝の頂点から先端縁に亘って延びる折り曲げ容易線又は破断容易線が形成されているとよい。このように、上記一対の長さ面パネルの上縁から延出し、上記四角筒状部の上部開口を閉塞可能な一対の蓋外フラップと、上記一対の幅面パネルの上縁から延出し、上記一対の蓋外フラップの内側に折り込まれる一対の蓋内フラップとをさらに備え、上記一対の蓋内フラップに、上記溝の頂点から先端縁に亘って延びる折り曲げ容易線又は破断容易線が形成されていることによって、上記幅面パネルを上記溝で容易に折り曲げることができる。
【００１７】
組立状態における平面視で、上記一対の蓋外フラップの先端縁と、上記折り曲げ容易線又は上記破断容易線とが一致していないとよい。このように、組立状態における平面視で、上記一対の蓋外フラップの先端縁と、上記折り曲げ容易線又は上記破断容易線とが一致していないことによって、上方からの荷重に基づく上記折り曲げ容易線又は上記破断容易線の折れ曲がりを抑制することができ、箱体の箱潰れを抑制することができる。
【００１８】
なお、本考案において、「左右方向」とは、箱用シートを組み立ててなる箱体において想定される一般的な使用態様における水平方向をいう。また、「上」とは、上記左右方向を基準とする上を意味し、「下」とは、上記左右方向を基準とする下を意味する。「内面」とは、箱体における内側の面をいい、「外面」とはその反対側の面をいう。「左右方向中央部」とは、左右方向に３分割した場合に中央に位置する部分をいう。
【００１９】
以下、適宜図面を参照しつつ、本考案の実施の形態を詳説する。
【００２０】
［箱用シート］
図１の箱用シート１は、１枚のシートからなる。当該箱用シート１は、上下に開口を有する四角筒状部に組み立てられ、組立状態で互いに対向する一対の長さ面パネル２ａ、２ｂ及び一対の幅面パネル３ａ、３ｂを備える。一対の長さ面パネル２ａ、２ｂ及び一対の幅面パネル３ａ、３ｂは展開状態で左右方向に交互に連接されている。これにより、当該箱用シート１は、後述するようにＡ式（ミカン箱タイプ）の箱体に組み立て可能な構成とすることができ、製造コストを抑えることができる。
【００２１】
当該箱用シート１は、一対の長さ面パネル２ａ、２ｂの上縁から延出し、上記四角筒状部の上部開口を閉塞可能な一対の蓋外フラップ（第１蓋外フラップ４ａ及び第２蓋外フラップ４ｂ）と、一対の幅面パネル３ａ、３ｂの上縁から延出し、第１蓋外フラップ４ａ及び第２蓋外フラップ４ｂの内側に折り込まれる一対の蓋内フラップ５ａ、５ｂとを備える。また、当該箱用シート１は、一対の長さ面パネル２ａ、２ｂの下縁から延出する一対の底外フラップ（第１底外フラップ６ａ及び第２底外フラップ６ｂ）と、一対の幅面パネル３ａ、３ｂの下縁から延出する一対の底内フラップ７ａ、７ｂと、一対の長さ面パネル２ａ、２ｂのうち、左右方向外側（本実施形態では左右方向右側）に位置する長さ面パネル２ｂの左右方向外側の側縁から延出する糊代８とを備える。長さ面パネル２ａ、２ｂと幅面パネル３ａ、３ｂとの間の境界線、長さ面パネル２ａ、２ｂと第１蓋外フラップ４ａ及び第２蓋外フラップ４ｂ、並びに第１底外フラップ６ａ及び第２底外フラップ６ｂとの間の境界線、幅面パネル３ａ、３ｂと蓋内フラップ５ａ、５ｂ及び底内フラップ７ａ、７ｂとの間の境界線、長さ面パネル２ｂと糊代８との間の境界線には、シートの内面を筋押しして形成される罫線が設けられている。
【００２２】
当該箱用シート１は、箱型に組立可能であり、具体的には図２に示すＡ式の箱体２１に組み立てられる。箱体２１の組立手順について説明する。まず、左右方向外側（本実施形態では左右方向右側）に位置する長さ面パネル２ｂをこの長さ面パネル２ｂに連接される幅面パネル３ｂの内面に折り重ね、左右方向外側（本実施形態では左右方向左側）に位置する幅面パネル３ａをこの幅面パネル３ａに連接される長さ面パネル２ａの内面に折り重ね、糊代８を折り重ねられた幅面パネル３ａの内面に貼着する。続いて、無端状に接続された一対の長さ面パネル２ａ、２ｂ及び一対の幅面パネル３ａ、３ｂを広げて四角筒状部を形成したうえ、一対の底内フラップ７ａ、７ｂを内側に折り曲げ、第１底外フラップ６ａ及び第２底外フラップ６ｂを内側に折り曲げて箱体２１の底壁２２を形成する。次に、必要に応じて底壁２２上に物品を収容したうえで、一対の蓋内フラップ５ａ、５ｂを内側に折り曲げ、さらに第１蓋外フラップ４ａ及び第２蓋外フラップ４ｂを内側に折り曲げて箱体２１の天壁２３を形成する。第１蓋外フラップ４ａ及び第２蓋外フラップ４ｂの先端縁を含む領域には、例えば封函テープＸが貼着され、これにより箱体２１の上部開口が封止される。なお、底壁２２及び天壁２３の具体的な組立手順については後述する。
【００２３】
当該箱用シート１に用いられるシートとしては、当該箱用シート１を組み立ててなる箱体２１の形状を維持できる程度の強度を有する限り特に限定されるものではなく、例えば段ボールシート、ボール紙等の紙製シート、合成樹脂製シート、紙製シートと合成樹脂製シートとの積層シート等が挙げられる。中でも、加工性、衝撃吸収性、取扱性、リサイクル性、経済性等の点から紙製シートが好ましく、段ボールシートが特に好ましい。当該箱用シート１を形成する段ボールとしては、原紙を波形状に形成した中芯をライナーに貼り合わせたものであって、例えば波形状に形成された中芯を１枚のライナーに貼り合わせた片面段ボールシート、片面段ボールシートの段頂にさらにライナーを貼り合わせた両面段ボールシート、両面段ボールシートの片側に片面段ボールシートの段頂を貼り合わせた複両面段ボールシート、複両面段ボールシートの片側に片面段ボールシートの段頂をさらに貼り合わせた複々両面段ボールシート等が挙げられる。これらの中でも、加工性、経済性、耐久性等の点から両面段ボールシートが好ましい。
【００２４】
（長さ面パネル）
一対の長さ面パネル２ａ、２ｂは長方形状かつ略同一形状に形成されている。一対の長さ面パネル２ａ、２ｂの左右方向長さは一対の幅面パネル３ａ、３ｂの左右方向長さよりも大きい。一対の長さ面パネル２ａ、２ｂの左右方向長さとしては、箱体２１に収容する物品の大きさ等に基づいて適宜設定可能であるが、例えば１５ｃｍ以上５０ｃｍ以下とすることができる。一対の長さ面パネル２ａ、２ｂの上下方向長さとしては、箱体２１に収容する物品の大きさ等に基づいて適宜設定可能であるが、例えば１０ｃｍ以上４０ｃｍ以下とすることができる。
【００２５】
一対の長さ面パネル２ａ、２ｂの両面（内面及び外面）は、幅面パネル３ａ、３ｂ、第１蓋外フラップ４ａ及び第２蓋外フラップ４ｂ、第１底外フラップ６ａ及び第２底外フラップ６ｂ、並びに糊代８との境界線に罫線が形成されている以外、凹凸のない平滑面である。
【００２６】
（幅面パネル）
一対の幅面パネル３ａ、３ｂは長方形状かつ略同一形状に形成されている。一対の幅面パネル３ａ、３ｂの上下方向長さとしては、一対の長さ面パネル２ａ、２ｂの上下方向長さと同じとすることができる。一対の幅面パネル３ａ、３ｂの左右方向長さとしては、箱体２１に収容する物品の大きさ等に基づいて適宜設定可能であるが、例えば１０ｃｍ以上４０ｃｍ以下とすることができる。
【００２７】
一対の幅面パネル３ａ、３ｂの内面には、上縁１１ａ、１１ｂの左右方向中央部と、下縁１２ａ、１２ｂの左右方向両端部とを接続する逆Ｖ字状の溝１３が形成されている。溝１３は、幅面パネル３ａ、３ｂの上縁１１ａ、１１ｂの左右方向中央部と、幅面パネル３ａ、３ｂの下縁１２ａ、１２ｂの左右方向一方側の端部とを接続する第１直線部１３ａと、幅面パネル３ａ、３ｂの上縁１１ａ、１１ｂの左右方向中央部（つまり、第１直線部１３ａの上端）と、幅面パネル３ａ、３ｂの下縁１２ａ，１２ｂの左右方向他方側の端部とを接続する第２直線部１３ｂとからなる。溝１３の頂点Ｑは、幅面パネル３ａ、３ｂの上縁１１ａ、１１ｂを左右方向に２分割する位置に設けられることが好ましい。第１直線部１３ａ及び第２直線部１３ｂの下端側は、底外フラップ６ａ、６ｂの側縁と底内フラップ７ａ，７ｂの側縁とを区画するスリットに向けて延びている。
【００２８】
溝１３は、例えば幅面パネル３ａ、３ｂの内面を筋押しすることで形成される。溝１３は、幅面パネル３ａ、３ｂを外側に突出するように山折りするための山折り線として機能する。
【００２９】
図３に示すように、シート厚さＴに対する溝１３の深さＤの比（Ｄ／Ｔ）の下限としては、０．２が好ましい。一方、上記比（Ｄ／Ｔ）の上限としては、０．４が好ましい。また、上記比（Ｄ／Ｔ）としては、０．３が特に好ましい。上記比（Ｄ／Ｔ）が上記下限に満たないと、物品の取り出し時に幅面パネル３ａ、３ｂを溝１３で折り曲げ難くなるおそれがある。逆に、上記比（Ｄ／Ｔ）が上記上限を超えると、箱体２１の上に他の箱体等を積み上げた際に、箱体２１に加えられる荷重によって幅面パネル３ａ、３ｂが意図せず折れ曲がるおそれがある。
【００３０】
一対の幅面パネル３ａ、３ｂの外面は平滑面であることが好ましい。換言すると、幅面パネル３ａ、３ｂの外面は、少なくとも長さ面パネル２ａ、２ｂとの間の境界線、蓋内フラップ５ａ、５ｂとの間の境界線及び底内フラップ７ａ、７ｂとの間の境界線を除いて凹凸を有しないことが好ましい。図３に示すように、当該箱用シート１は、溝１３の深さＤを比較的浅く調節することで、幅面パネル３ａ、３ｂの外面が溝１３と重なる位置で突出したり、溝１３の両側の部分で凹むことを防止し、幅面パネル３ａ、３ｂの外面を平滑面とすることができる。当該箱用シート１は、幅面パネル３ａ、３ｂの外面が平滑面であることで、箱体２１の上に他の箱体等を積み上げた場合等に、幅面パネル３ａ、３ｂが意図せず折れ曲がることを抑制することができる。これにより、箱体２１の座屈強度の低下を抑制することができる。
【００３１】
一対の幅面パネル３ａ、３ｂの内面は、溝１３による凹みを除いて平滑面であることが好ましい。つまり、幅面パネル３ａ、３ｂの内面は、溝１３、長さ面パネル２ａ、２ｂとの間の境界線、蓋内フラップ５ａ、５ｂとの間の境界線及び底内フラップ７ａ、７ｂとの間の境界線を除いて凹凸を有しないことが好ましい。これにより、当該箱用シート１は、物品の取り出し時における幅面パネル３ａ、３ｂの溝１３による折り曲げが容易となると共に、幅面パネル３ａ、３ｂの強度を十分に大きくしやすい。
【００３２】
（蓋外フラップ）
第１蓋外フラップ４ａは、先端縁１４ｂの一方側の端部に切欠き１４ｄを有する略長方形状の本体１４ａと、本体１４ａの先端縁１４ｂの中央部から突出する略長方形状の突片１４ｃとを有する。本体１４ａの先端縁１４ｂと突片１４ｃの先端縁とは、第１蓋外フラップ４ａの先端縁を形成している。第１蓋外フラップ４ａの幅は、長さ面パネル２ａの左右方向長さと略等しい。
【００３３】
第１蓋外フラップ４ａの基端縁から本体１４ａの先端縁１４ｂまでの延出方向長さＬ１は、幅面パネル３ａ、３ｂの左右方向長さの１／２よりも小さい。一方、第１蓋外フラップ４ａの基端縁から突片１４ｃの先端縁までの延出方向長さＬ２は、幅面パネル３ａ、３ｂの左右方向長さの１／２よりも大きい。つまり、第１蓋外フラップ４ａの本体１４ａの先端縁１４ｂ及び突片１４ｃの先端縁はいずれも幅面パネル３ａ、３ｂの左右方向長さの１／２とは一致していない。
【００３４】
第２蓋外フラップ４ｂは、略長方形状である。第２蓋外フラップ４ｂは、先端縁１５ｂの組立時に第１蓋外フラップ４ａの切欠き１４ｄと対向する側の端部に切欠き１５ｄを有する。また、第２蓋外フラップ４ｂは、先端縁１５ｂの組立時に第１蓋外フラップ４ａの突片１４ｃと対向する位置にコ字状の凹部１５ｃを有する。凹部１５ｃの底縁は、上述の先端縁１５ｂと共に、第２蓋外フラップ４ｂの先端縁を形成している。第２蓋外フラップ４ｂの幅は、長さ面パネル２ｂの左右方向長さと略等しい。
【００３５】
第２蓋外フラップ４ｂの基端縁から先端縁１５ｂまでの延出方向長さＬ３は、幅面パネル３ａ、３ｂの左右方向長さの１／２よりも大きい。一方、第２蓋外フラップ４ｂの基端縁から凹部１５ｃの底縁までの延出方向長さＬ４は、幅面パネル３ａ、３ｂの左右方向長さの１／２よりも小さい。つまり、第２蓋外フラップ４ｂの先端縁１５ｂ及び凹部１５ｃの底縁はいずれも幅面パネル３ａ、３ｂの左右方向長さの１／２と一致していない。
【００３６】
図４に示すように、第１蓋外フラップ４ａ及び第２蓋外フラップ４ｂは、組立状態で先端部同士を幅方向に互い違いに噛合わせた状態で保持される。当該箱用シート１は、例えば第１蓋外フラップ４ａの突片１４ｃが第２蓋外フラップ４ｂの凹部１５ｃの上に重なるように噛合わせることで、天壁２３の落ち込みを抑え、箱体２１の強度を大きくしやすい。
【００３７】
図２に示すように、箱体２１では、第１蓋外フラップ４ａ及び第２蓋外フラップ４ｂの切欠き１４ｄ、１５ｄ上に封函テープＸが掛け渡される。これにより、箱体２１は、封函テープＸを剥がした際に、第１蓋外フラップ４ａ及び第２蓋外フラップ４ｂの一部分が封函テープＸに貼り付いて封函テープＸと共に剥離されるのを抑制することができる。
【００３８】
（蓋内フラップ）
一対の蓋内フラップ５ａ、５ｂは矩形状かつ略同一形状に形成されている。蓋内フラップ５ａ、５ｂの幅は、幅面パネル３ａ、３ｂの左右方向長さと略等しい。蓋内フラップ５ａ、５ｂの延出方向長さは、長さ面パネル２ａ、２ｂの左右方向長さの１／２以下である。
【００３９】
一対の蓋内フラップ５ａ、５ｂには、溝１３の頂点Ｑから先端縁に亘って延びる破断容易線１６が形成されている。これにより、当該箱用シート１は、蓋内フラップ５ａ、５ｂを破断容易線１６で破断することで、蓋内フラップ５ａ、５ｂを溝１３の頂点Ｑを起点として二股に分割することができる。その結果、当該箱用シート１は、蓋内フラップ５ａ、５ｂを変形させることなく幅面パネル３ａ、３ｂを溝１３で容易かつ確実に折り曲げることができる。
【００４０】
破断容易線１６は直線状である。破断容易線１６は、溝１３の頂点Ｑから蓋内フラップ５ａ、５ｂを横断するように上下方向に延びている。つまり、破断容易線１６は、蓋内フラップ５ａ、５ｂを幅方向の中央で２分割する位置に形成されている。
【００４１】
図４に示すように、当該箱用シート１は、組立状態における平面視で、第１蓋外フラップ４ａ及び第２蓋外フラップ４ｂの先端縁と、破断容易線１６とが一致していない。つまり、当該箱用シート１は、箱体２１に組み立てられた状態で、第１蓋外フラップ４ａの先端縁と、第２蓋外フラップ４ｂの先端縁と、破断容易線１６とが幅面パネル３ａ、３ｂの左右方向（図４のＹ軸方向）においてずれている。より詳しくは、箱体２１は、平面視で、第１蓋外フラップ４ａの本体１４ａの先端縁１４ｂ及び突片１４ｃの先端縁と、第２蓋外フラップ４ｂの先端縁１５ｂ及び凹部１５ｃの底縁と、破断容易線１６とがいずれも一致していない。これにより、当該箱用シート１は、箱体２１に組み立てられた状態における上方からの荷重に基づく破断容易線１６での折れ曲がりを抑制することができ、箱体２１の箱潰れを抑制することができる。さらに、当該箱用シート１は、上述のように、組立状態で第１蓋外フラップ４ａの突片１４ｃが第２蓋外フラップ４ｂの凹部１５ｃの上に重なるように噛合わされることで、第１蓋外フラップ４ａ及び第２蓋外フラップ４ｂの先端縁側の落ち込みを抑制できる。その結果、当該箱用シート１は、箱体２１の箱潰れをより抑えやすい。
【００４２】
（底外フラップ）
第１底外フラップ６ａは、略長方形状の本体１７ａと、本体１７ａの先端縁の中心部から突出する突片１７ｂと、基端縁における幅方向の両端部近傍から幅方向内側に傾斜して先端縁側に延びる一対の弱化線１７ｃとを有する。本体１７ａの幅は、長さ面パネル２ａの左右方向長さと略等しい。
【００４３】
第２底外フラップ６ｂは、略長方形状である。第２底外フラップ６ｂは、先端縁の組立時に第１底外フラップ６ａの突片１７ｂと対向する位置にコ字状の凹部１８ａを有する。第２底外フラップ６ｂは、基端縁における幅方向の両端部近傍から幅方向内側に傾斜して先端縁側に延びる一対の弱化線１８ｂを有する。第２底外フラップ６ｂの幅は、長さ面パネル２ｂの左右方向長さと略等しい。
【００４４】
当該箱用シート１は、第２底外フラップ６ｂを内側に折り曲げ、この第２底外フラップ６ｂの外側に第１底外フラップ６ａを折り重ねた状態で、第１底外フラップ６ａを内側に押し込んでいくことで底壁２２を組み立てることができる。具体的には、第１底外フラップ６ａの突片１７ｂが第２底外フラップ６ｂの凹部１８ａを越えるまで第１底外フラップ６ａを押し込んだ後、第１底外フラップ６ａの押し込みを解除する。これにより、シートの反力で第１底外フラップ６ａと第２底外フラップ６ｂとが略平行になる位置まで押し戻され、第１底外フラップ６ａと第２底外フラップ６ｂとが噛み合った状態で底壁２２が形成される。
【００４５】
（底内フラップ）
一対の底内フラップ７ａ、７ｂは矩形状かつ略同一形状に形成されている。底内フラップ７ａ、７ｂの幅は、幅面パネル３ａ、３ｂの左右方向長さと略等しい。底内フラップ７ａ、７ｂの延出方向長さは、長さ面パネル２ａ、２ｂの左右方向長さの１／２以下である。
【００４６】
（糊代）
堀城８は、組立状態で幅面パネル３ａの溝１３と重なり合う位置の内面に溝を有していてもよい。
【００４７】
（物品の取り出し手順）
図２及び図５〜図７を参照して、箱体２１に収容された物品Ｐの取り出し手順について説明する。図５及び図６に示すように、幅面パネル３ａ、３ｂは、溝１３で外側に山折りに折り曲げられると、溝１３の頂点Ｑが左右方向外側に突出するように全体としてくちばし状（船首状）に変形する。この際、一対の蓋内フラップ５ａ、５ｂを破断容易線１６で折り曲げ、又は２片に分離しておくことで、一対の蓋内フラップ５ａ、５ｂが一対の幅面パネル３ａ、３ｂの折り曲げの妨げとならない。
【００４８】
図７に示すように、箱体２１は、一対の幅面パネル３ａ、３ｂの内面に沿うように手指を差し込んでいくことで、一対の幅面パネル３ａ、３ｂが、溝１３による折り曲げによって容易にくちばし状に変形する。これにより、一対の幅面パネル３ａ、３ｂの上部中央部の内側には物品Ｐを側方から把持するための物品把持用空間が形成される。箱体２１では、この物品把持用空間を利用して物品Ｐを側方の両側から把持して物品Ｐを持ち上げることで、この物品Ｐを容易に取り出すことができる。
【００４９】
＜利点＞
当該箱用シート１は、箱体２１に組み立てられた状態で対向する一対の幅面パネル３ａ、３ｂの内面に、上縁１１ａ、１１ｂの左右方向中央部と、下縁１２ａ、１２ｂの左右方向両端部とを接続する逆Ｖ字状の溝１３が形成されているので、箱体２１内に収容される物品Ｐと一対の幅面パネル３ａ、３ｂの内面との間に物品把持用空間を容易に形成することができる。当該箱用シート１は、物品Ｐの保管状態で幅面パネル３ａ、３ｂの内面と物品Ｐとの間に空間が存在しない場合でも、幅面パネル３ａ、３ｂの変形によって物品把持用空間を形成することができる。従って、当該箱用シート１は、物品Ｐの保管スペースが大きくなることを抑制することができる。当該箱用シート１は、ジッパー部等を設けて箱体の一部分を破断して物品を取り出すものではないので、意図しない箱体の破断や、箱体の耐圧強度の低下を抑制しつつ、箱体の外観を良好に保つことができる。また、当該箱用シート１は、物品Ｐを取り出すための部材を別途設けることを要しないので、製造コストを抑えることができる。
【００５０】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００５１】
当該箱用シートは、Ａ式の箱体に組み立て可能に構成されていなくてもよい。例えば当該箱用シートは、底壁を構成する矩形状の底板と、この底板の４つの側縁から延出し、この底板から上方に立ち上げられて四角筒状部を形成する４つの側板とを有し、トレイ状に組み立て可能な構成であってもよい。
【００５２】
上述のように、当該箱用シートは、一対の幅面パネルの外面が平滑面であることが好ましい。但し、当該箱用シートは、箱体の座屈強度を十分に大きくできるような場合であれば、一対の幅面パネルの外面に凹凸を有していてもよい。
【００５３】
当該箱用シートが一対の幅面パネルの上縁から延出する一対の蓋内フラップを有する場合、これらの蓋内フラップには、上述の破断容易線に代えて折り曲げ容易線が形成されていてもよい。この構成によっても、この折り曲げ容易線で蓋内フラップを折り曲げつつ、上記一対の幅面パネルを上記溝で容易に折り曲げることができる。
【００５４】
当該箱用シートは、Ａ式の箱体に組み立て可能な場合であっても、一対の蓋外フラップ、一対の蓋内フラップ、一対の底外フラップ及び一対の底内フラップの具体的な形状は上記実施形態の形状に限定されない。例えば当該箱用シートは、一対の長さ面パネルの上縁から延出する一対の長方形状の蓋外フラップと、一対の長さ面パネルの下縁から延出する一対の長方形状の底外フラップとを備えており、上記一対の蓋外フラップの先端縁同士が突き合わされて天壁が形成され、上記一対の底外フラップの先端縁同士が突き合わされて底壁が形成されるものであってもよい。
【００５５】
当該箱用シートは、箱体の潰れの有無を問わないような場合であれば、一対の蓋外フラップの先端縁と上述の折り曲げ容易線又は破断容易線とが、組立状態の平面視で一致していてもよい。
【産業上の利用可能性】
【００５６】
以上のように、本考案に係る箱用シートは、物品の保管スペースが大きくなることを抑制しつつ、物品を容易に取り出すことができるので、物品の保管用、運搬用等に好適に用いられる。
【符号の説明】
【００５７】
１  箱用シート
２ａ、２ｂ  長さ面パネル
３ａ、３ｂ  幅面パネル
４ａ  第１蓋外フラップ
４ｂ  第２蓋外フラップ
５ａ、５ｂ  蓋内フラップ
６ａ  第１底外フラップ
６ｂ  第２底外フラップ
７ａ、７ｂ  底内フラップ
８  糊代
１１ａ、１１ｂ  上縁
１２ａ、１２ｂ  下縁
１３  溝
１３ａ  第１直線部
１３ｂ  第２直線部
１４ａ、１７ａ  本体
１４ｂ，１５ｂ  先端縁
１４ｃ、１７ｂ  突片
１４ｄ，１５ｄ  切欠き
１５ｃ，１８ａ  凹部
１６  破断容易線
１７ｃ、１８ｂ  弱化線
２１  箱体
２２  底壁
２３  天壁
Ｄ  溝の深さ
Ｐ  物品
Ｑ  頂点
Ｔ  シート厚さ
Ｘ  封函テープ
【図１】
0003224539.tif 000003
【図２】
0003224539.tif 000004
【図３】
0003224539.tif 000005
【図４】
0003224539.tif 000006
【図５】
0003224539.tif 000007
【図６】
0003224539.tif 000008
【図７】
0003224539.tif 000009